(57)【要約】【課題】保育器のモニター用警告灯を従来よりも大きくすることで、医療スタッフが見やすくなった警告灯の提供。【解決手段】保育器に付設された新生児の呼吸などの情報を検知するためのモニター11に設けられた異常を知らせるための警告灯13であり、波長650nm以下の光は出さず、波長650nmを超える可視光を出すものであるの警告灯13。点灯時においても新生児に対して悪影響を与えないで、警告灯を大きくできる。【選択図】図１
2014140554.tif 000002
【特許請求の範囲】
【請求項１】
保育器に付設された新生児の呼吸、脈拍、体温を含む情報を検知するためのモニターに設けられた、前記情報に異常があったときに点灯して異常を知らせるための警告灯であり、
前記警告灯が、波長６５０ｎｍ以下の光は出さず、波長６５０ｎｍを超える可視光を出すものである、保育器に接続されたモニターの警告灯。
【請求項２】
前記警告灯が、波長６５０ｎｍ以下の光は出さず、波長６５０ｎｍを超える可視光を出す発光源を使用しているものである、請求項１記載の保育器に接続されたモニターの警告灯。
【請求項３】
前記警告灯が、波長６５０ｎｍ以下の光を遮断し、波長６５０ｎｍを超える可視光を透過することができるカバー部材で発光源が覆われたものである、請求項１記載の保育器に接続されたモニターの警告灯。
【請求項４】
請求項１〜３のいずれか１項に記載の保育器に接続された警告灯を備えたモニター。
【発明の詳細な説明】
【技術分野】
【０００１】
本発明は、新生児集中治療室（Ｎｅｏｎａｔａｌ Ｉｎｔｅｎｓｉｖｅ ＣａｒｅＵｎｉｔ；ＮＩＣＵ）の保育器に接続されたモニターの警告灯とそれを使用したモニターに関する。
【背景技術】
【０００２】
ＮＩＣＵには複数の保育器が配置されており、各保育器には新生児（特に早産児）の呼吸、脈拍、体温などの情報を検知するための図２に示すようなモニター１が接続されている。
そして、モニター１が前記情報の異常を検知したとき、モニター１のハウジング上面２に設けられた警告灯３により医師や看護士などの医療スタッフに知らせるようになっている。警告灯３は、発光源（電球）がカバーで覆われた状態のものである。
特許文献１は、乳幼児、特に２５００グラム以下の低出生体重児や小動物の生体情報を無拘束の状態で測定することができる無拘束型生命監視装置に関する発明であり、警報ランプを使用できることも記載されている（段落番号００２３）。
【０００３】
従来の警告灯３は、図２に示されているように、新生児への光環境の影響を考慮して最小限の大きさのものが使用されている。
新生児に異常が生じたときにおいて、確実にそしてより迅速に医師や看護士などの医療スタッフに知らせる観点からは警告灯３が大きい方が望ましいが、前記のとおり、新生児（特に早産児）への光環境を適切に維持するため、最小限のものとせざるを得ない。
【先行技術文献】
【特許文献】
【０００４】
【特許文献１】特開２００２−２２４０５１号公報
【発明の概要】
【発明が解決しようとする課題】
【０００５】
本発明は、新生児（特に早産児）に対して悪影響を与えることがなく、かつモニターの異常検知時には医師や看護士などの医療スタッフが容易にかつ速やかに確認できる、モニターの警告灯を提供することを課題とする。
また本発明は、前記警告灯を備えたモニターを提供することを他の課題とする。
【課題を解決するための手段】
【０００６】
本発明は、課題の解決手段として、
保育器に付設された新生児の呼吸、脈拍、体温を含む情報を検知するためのモニターに設けられた、前記情報に異常があったときに点灯して異常を知らせるための警告灯であり、
前記警告灯が、波長６５０ｎｍ以下の光は出さず、波長６５０ｎｍを超える可視光を出すものである、保育器に接続されたモニターの警告灯と、それを備えたモニターを提供する。
【発明の効果】
【０００７】
本発明のモニターの警告灯は、波長６５０ｎｍ以下の光は出さず、波長６５０ｎｍを超える可視光を出すものである。
このため、警告灯の点灯によっても、新生児（特に早産児）に対して望ましい光環境が適切に維持される。
よって、従来よりも警告灯を大きくして、医師や看護士などの医療スタッフが見やすくなるようにした場合であっても、新生児に対する適切な光環境が引き続き維持される。
【図面の簡単な説明】
【０００８】
【図１】本発明の警告灯を備えたモニターの斜視図。
【図２】従来のモニターの斜視図。
【発明を実施するための形態】
【０００９】
ＮＩＣＵ内に配置された多数の保育器には、新生児（特に早産児）の呼吸、脈拍、体温を含む情報を検知するためのモニター１１が付設されている。
そして、モニター１１のハウジング上面１２には、前記情報に異常があったときに点灯して異常を知らせるための警告灯１３が取り付けられている。
特許第４４６３１７７号公報、登録実用新案公報第３１６８３９２号公報、登録実用新案公報第３１６８３９３号公報に記載のとおり、新生児、特に早産児（未熟児または超未熟児）が波長６５０ｎｍ以下の光に終日曝されることは、新生児の健全な発育にとっては好ましくない。
そして、モニターの警告灯であっても、波長６５０ｎｍ以下の光を発することは、新生児に対する光環境としては望ましくないものである。
【００１０】
本発明の警告灯は、波長６５０ｎｍ以下の光は出さず、波長６５０ｎｍを超える可視光を出すものである。
本発明において波長６５０ｎｍ以下の光を出さないとは、全光線中の波長６５０ｎｍ以下の光の割合が２０％以下、好ましくは１５％以下、より好ましくは１０％以下、さらに好ましくは５〜０％であることを意味する。
本発明において波長６５０ｎｍを超える可視光を出すとは、全光線中の波長６５０ｎｍを超える可視光の割合が８０％以上、好ましくは８５％以上、より好ましくは９０％以上、さらに好ましくは９５〜１００％であることを意味する。
【００１１】
本願発明のモニター１１の警告灯１３は、波長６５０ｎｍ以下の光を出さず、波長６５０ｎｍを超える可視光を出すものであるから、モニター１１が新生児の異常を検知して警告灯１３が点灯した場合であっても、悪影響を与えることがない。
一方、医師や看護士などの医療スタッフは、波長６５０ｎｍを超える可視光を感知できるため医療行為などには支障がない。
このため、本発明の警告灯１３（図１参照）は、従来は新生児への影響を考慮して最小限の大きさに設定されたモニターの警告灯３（図２参照）と比べると、より大きく、見やすいにものにすることができる。
【００１２】
本発明のモニター１１の警告灯１３は、例えば図１に示すように、ハウジング上面１２の大部分を占めるような大きさにすることができるほか、さらに見やすくするため、ハウジング上面１２から上方に突き出された凸形状にすることもできる。
またモニター１１と警告灯１３の接続状態を維持したまま分離して（例えば、モニター１１と警告灯１３をケーブルで接続して）、警告灯１３のみをより見やすい位置に取り付けるようにすることもできる。
【００１３】
本発明のモニターの警告灯１３およびそれを備えてモニター１１であれば、モニター１１が新生児の異常を検知して警告灯１３が点灯したとき、医師や看護士などの医療スタッフは、容易にかつ速やかに警告灯１３の点灯に気づくことができるようになるため、より迅速な対応ができるようになる。
【００１４】
本発明の波長６５０ｎｍ以下の光は出さず、波長６５０ｎｍを超える可視光を出すことができる警告灯およびそれを備えたモニターは、次の方法（Ａ）および（Ｂ）のようにして得ることができる。
【００１５】
方法（Ａ）
警告灯１３として、波長６５０ｎｍ以下の光は出さず、波長６５０ｎｍを超える可視光を出す発光源を使用する方法。
このような発光源としては、例えば市販の赤色LEDであるL660-01, L670-01V, L680-01AU, L700-01AU,L720-01AU（いずれもepitex社製）などを使用することができる。
【００１６】
警告灯１３の発光源（電球）を覆うカバーとして、波長６５０ｎｍ以下の光を遮断し、波長６５０ｎｍを超える可視光を透過することができるカバー部材を使用する方法。
このようなカバー部材としては、特許第４４６３１７７号公報に記載されている保育器フード用カバーまたは前記カバー用の材料と同じものを使用することができる。
前記保育器フード用カバーは、波長６５０ｎｍ以下の光を遮断し、波長６５０ｎｍを超える可視光を透過することができるものであるから、このカバーにより警告灯１３の発光源（電球）を覆うことで、警告灯が点灯したとき、波長６５０ｎｍ以下の光を遮断し、波長６５０ｎｍを超える可視光を透過することができる。
【００１７】
本発明の警告灯を備えたモニターと共に、特許第４４６３１７７号公報に記載の保育器フード用カバーを保育器に使用したり、さらにＮＩＣＵ内の照明器具として、波長６５０ｎｍ以下の光を遮断し、波長６５０ｎｍを超える可視光を透過することができる登録実用新案公報第３１６８３９２号公報および登録実用新案公報第３１６８３９３号公報に記載の照明器具を使用したりすることは、新生児（特に早産時）に対する光環境を適切に維持しながら、医師や看護士などの医療スタッフによる医療行為やケア行為がより円滑にできるようになることから望ましいものである。
【符号の説明】
【００１８】
１、１１  モニター
２、１２  ハウジング上面
３、１３  警告灯
【図１】
2014140554.tif 000003
【図２】
2014140554.tif 000004